(57)【要約】  本発明は、マルチメディアブロードキャスト／マルチキャストサービス(ＭＢＭＳ)を支援する符号分割多重接続移動通信システムのソフトハンドオーバーによるソフトコンバイニング装置及び方法を提供する。本発明は、ＭＢＭＳサービスを支援する非同期方式の移動通信システムで、移動端末が複数の基地局からデータの受信が可能な領域に移動するときに、この移動端末がソフトハンドオーバーを遂行することにおいて、専用パイロットチャンネルの推定値を用いるソフトコンバイニングを遂行するかどうかを判定する方法を提供する。それによって、本発明は、移動端末が複数の基地局から受信するＭＢＭＳデータのソフトコンバイニングを遂行するかどうかを自身で判定可能なようにする。したがって、本発明において、ＭＢＭＳユーザーが今までの又は現在のセルから新たなセルに移動しても、安定したＭＢＭＳサービスが提供され、ユーザーに便利なものとなる。
2006528455.tif 000002
【特許請求の範囲】
【請求項１】
マルチメディアブロードキャスト／マルチキャストサービス(ＭＢＭＳ）によるＭＢＭＳデータを提供するソース基地局と、前記ソース基地局から前記ＭＢＭＳデータを受信する移動端末と、前記ソース基地局からハンドオーバーに適合した隣接基地局とを含む符号分割多重接続移動通信システムで、前記移動端末が前記ソース基地局及び前記隣接基地局からのＭＢＭＳデータをソフトコンバイニングする方法であって、
前記隣接基地局の中で、前記ソース基地局からのＭＢＭＳサービスと同一のＭＢＭＳサービスを提供する少なくとも一つの隣接基地局からの専用パイロットチャンネル信号の受信電力を測定するステップと、
前記測定した受信電力と予め定められたしきい値の比較結果により、前記少なくとも一つの隣接基地局からのＭＢＭＳデータと前記ソース基地局からのＭＢＭＳデータをソフトコンバイニングするステップと、
を含むことを特徴とする方法。
【請求項２】
前記測定値は、専用パイロットチャンネル信号の信号対雑音比であることを特徴とする請求項１記載の方法。
【請求項３】
前記ソース基地局からの専用パイロットチャンネル信号の測定値に比べて、前記少なくとも一つの周辺基地局からの測定値が所定の基準値以上に大きいと、前記ソフトコンバイニングが要求されると判断することを特徴とする請求項２記載の方法。
【請求項４】
前記ソース基地局からの専用パイロットチャンネル信号の測定値と前記少なくとも一つの隣接基地局からの測定値との差が予め定められたヒステリシス値以内にあると、前記ソフトコンバイニングが要求されると判断することを特徴とする請求項１記載の方法。
【請求項５】
前記少なくとも一つの隣接基地局からの専用パイロットチャンネルに対するすべての多重経路信号に対する測定値の合算値が、前記ソース基地局からの専用パイロットチャンネルに対するすべての多重経路信号に対する測定値の合算値より、予め定められた基準値以上に大きいと、前記ソフトコンバイニングが要求されると判断することを特徴とする請求項１記載の方法。
【請求項６】
マルチメディアブロードキャスト／マルチキャストサービス(ＭＢＭＳ）によるＭＢＭＳデータを提供するソース基地局と、前記ソース基地局から前記ＭＢＭＳデータを受信する移動端末と、前記ソース基地局により提供されるＭＢＭＳサービスを提供し、前記ソース基地局からハンドオーバーに適合した少なくとも一つ以上の隣接基地局とを含む非同期方式の符号分割多重接続移動通信システムで、前記移動端末が前記ソース基地局からのＭＢＭＳデータと前記隣接基地局からのＭＢＭＳデータをソフトコンバイニングする装置であって、
前記隣接基地局からの専用パイロットチャンネル信号の中で、自機に割り当てられた専用パイロットチャンネル信号の受信電力を測定し、前記測定値が予め定められた条件を満たすか否かにより、該当隣接基地局からのＭＢＭＳデータに対するソフトコンバイニングを遂行するかどうかを決定する専用パイロットチャンネル推定器と、
前記該当隣接基地局からのＭＢＭＳデータを入力し、前記専用パイロットチャンネル推定器の決定により前記ＭＢＭＳデータを復調する復調部と、
前記復調部のうちの少なくとも２つの復調部からＭＢＭＳデータが入力されると、前記ＭＢＭＳデータに対するソフトコンバイニングを遂行するコンバイナと
を含むことを特徴とする装置。
【請求項７】
前記測定値は、専用パイロットチャンネルの信号対雑音比であることを特徴とする請求項６記載の装置。
【請求項８】
前記専用パイロットチャンネル推定器は、前記ソース基地局からの専用パイロットチャンネル信号の測定値に比べて前記一つ以上の隣接基地局からの測定値が所定基準値以上に大きいと、前記ソフトコンバイニングを要求することを特徴とする請求項６記載の装置。
【請求項９】
前記専用パイロットチャンネル推定器は、
前記ソース基地局からの専用パイロットチャンネル信号の測定値と前記一つ以上の隣接基地局からの測定値との差が、予め定められたヒステリシス値以内であると、前記ソフトコンバイニングを要求することを特徴とする請求項６記載の装置。
【請求項１０】
前記専用パイロットチャンネル推定器は、
前記一つ以上の隣接基地局からの専用パイロットチャンネルに対するすべての多重経路信号による測定値の合算値が、前記ソース基地局からの専用パイロットチャンネルに対するすべての多重経路信号による測定値の合算値より、予め定められた基準値以上に大きいと、前記ソフトコンバイニングを要求することを特徴とする請求項６記載の装置。
【発明の詳細な説明】
【技術分野】
【０００１】
本発明は非同期式符号分割多重接続移動通信システムのソフトハンドオーバーに関するもので、特に、マルチメディアブロードキャスト／マルチキャストサービスのソフトハンドオーバーによるソフトコンバイニング装置及び方法に関するものである。
【背景技術】
【０００２】
最近で通信産業の発達により、符号分割多重接続(Ｃｏｄｅ  Ｄｉｖｉｓｉｏｎ  Ｍｕｌｔｉｐｌｅ  Ａｃｃｅｓｓ：以下、“ＣＤＭＡ”とする)移動通信システムでは、音声サービスだけでなくパケットデータ、サーキットデータのような大容量のデータを伝送するマルチキャスティングマルチメディア通信のためのサービスが要求される。
【０００３】
マルチキャスティングマルチメディア通信を支援するためには、一つのデータソースから複数の移動端末(Ｕｓｅｒ  Ｅｑｕｉｐｍｅｎｔ：以下、“ＵＥ”とする)にサービスを提供するブロードキャスト／マルチキャストサービス(Ｂｒｏａｄｃａｓｔ／Ｍｕｌｔｉｃａｓｔ  Ｓｅｒｖｉｃｅ)が知られている。ブロードキャスト／マルチキャストサービスは、メッセージ中心のサービスであるセル放送サービス(Ｃｅｌｌ  Ｂｒｏａｄｃａｓｔ  Ｓｅｒｖｉｃｅ：以下、“ＣＢＳサービス”とする)とリアルタイム映像及び音声、静止画像、文字データなどマルチメディア形態を支援するマルチメディアブロードキャスト／マルチキャストサービス(Ｍｕｌｔｉｍｅｄｉａ  Ｂｒｏａｄｃａｓｔ／Ｍｕｌｔｉｃａｓｔ  Ｓｅｒｖｉｃｅ：以下、“ＭＢＭＳサービス”とする)に分けられる。
【０００４】
ＣＢＳサービスは、特定サービス領域に位置するすべてのＵＥに複数のメッセージを放送するサービスである。ＣＢＳサービスを提供する特定のサービス領域は、一つのセル内でＣＢＳサービスが提供される全体領域とすることができる。
ＭＢＭＳサービスは、音声データと映像データを同時に提供するサービスとして、大量の伝送資源を必要とする。したがって、一つのセル内で同時に多量のサービスが展開される可能性があるという観点から、このＭＢＭＳサービスは放送チャンネルを通じて提供される。特に、ＭＢＭＳサービスは、ＣＢＳサービスに比べてより多くの無線資源が求められる。したがって、ＭＢＭＳサービスの受信が可能な端末が存在するサービス領域のみで実際メッセージの放送がなされるのが一般的である。
【０００５】
通常、ＵＥは、一つのセル領域のみに留まることなく、他のセル領域に移動する。このとき、既存の音声サービス及びデータサービスの場合では、ソフトハンドオーバーを通じて持続的なサービスが提供されうる。データ送受信時に、サービスのハンドオーバーは、ＣＥＬＬ_ＤＣＨ状態でのハンドオーバーとＣＥＬＬ_ＦＡＣＨ状態でのハンドオーバーに大別される。
【０００６】
ＣＥＬＬ_ＤＣＨ状態でのハンドオーバーは、専用チャンネル(Ｄｅｄｉｃａｔｅｄ  Ｃｈａｎｎｅｌ：ＤＣＨ）が設定されている場合である。このＣＥＬＬ_ＤＣＨ状態でのハンドオーバー手順について説明すると、ＵＥは、共通パイロットチャンネル(Ｃｏｍｍｏｎ  Ｐｉｌｏｔ  Ｃｈａｎｎｅｌ：以下、“ＣＰＩＣＨ”とする）を測定してサービング無線網制御器(Ｓｅｒｖｉｎｇ  Ｒａｄｉｏ  Ｎｅｔｗｏｒｋ  Ｃｏｎｔｒｏｌｌｅｒ：以下、“ＳＲＮＣ”とする)に報告する。ＳＲＮＣは、ＵＥからの報告結果に基づいてハンドオーバーを遂行するかどうかを判定し、ＵＥにハンドオーバーを命令する。したがって、ＵＥからの報告とＳＲＮＣのハンドオーバー命令で組合わせてソフトコンバイニングを可能にする方式である。 
【０００７】
ＣＥＬＬ_ＦＡＣＨ(Ｆｏｒｗａｒｄ  Ａｃｃｅｓｓ  Ｃｈａｎｎｅｌ)状態でのハンドオーバーは、共通チャンネルが設定されている場合である。ＣＥＬＬ_ＦＡＣＨ状態で、ハンドオーバー手順について説明すると、ＵＥは、ＣＰＩＣＨを測定して自分で最適のセルを決定してセル更新を遂行する。この場合には、ＳＲＮＣに報告をしないため、ソフトコンバイニングを遂行できなくなる。このような理由で、放送チャンネルを通じてサービスされるにしたがって、ＣＥＬＬ_ＦＡＣＨ状態でのソフトハンドオーバーを考慮するべきＭＢＭＳサービスは、ソフトコンバイニングの問題に直面するようになった。
【発明の開示】
【発明が解決しようとする課題】
【０００８】
したがって、上記したような問題点を解決するために、本発明の目的は、非同期方式のＣＤＭＡ移動通信システムで、ＭＢＭＳサービスを受信する移動端末に対するソフトハンドオーバー装置及び方法を提供することにある。
本発明の他の目的は、共通パイロットチャンネル、専用パイロットチャンネル、又はＭＢＭＳデータの測定を通じてソフトコンバイニングを遂行するかどうかをＵＥが決定可能にする装置及び方法を提供することにある。
【０００９】
本発明のまた他の目的は、専用パイロットチャンネルの測定値とヒステリシス特性を有する絶対値の比較の代りに、サブパイロットチャンネルの測定値と既受信中である専用パイロットチャンネルの測定値を相対的に比較してＭＢＭＳデータの受信を制御する装置及び方法を提供することにある。
さらに、本発明の目的は、専用パイロットチャンネルの測定値とヒステリシス特性を有する絶対値の比較値をフィンガーに貯蔵しておき、ＭＢＭＳデータの抽出は比較値と関係なく遂行し、コンバイナでこの値のコンバイニングを遂行するかどうかを判定する装置及び方法を提供することにある。
【課題を解決するための手段】
【００１０】
上記のような目的を達成するために、本発明は、マルチメディアブロードキャスト／マルチキャストサービス(ＭＢＭＳ）によるＭＢＭＳデータを提供するソース基地局と、前記ソース基地局から前記ＭＢＭＳデータを受信する移動端末と、前記ソース基地局からハンドオーバーに適合した隣接基地局とを含む符号分割多重接続移動通信システムで、前記移動端末が前記ソース基地局及び前記隣接基地局からのＭＢＭＳデータをソフトコンバイニングする方法であって、前記隣接基地局の中で、前記ソース基地局からのＭＢＭＳサービスと同一のＭＢＭＳサービスを提供する少なくとも一つの隣接基地局からの専用パイロットチャンネル信号の受信電力を測定するステップと、前記測定した受信電力と予め定められたしきい値の比較結果により、前記少なくとも一つの隣接基地局からのＭＢＭＳデータと前記ソース基地局からのＭＢＭＳデータをソフトコンバイニングするステップとを含むことを特徴とする。
【００１１】
また、本発明は、マルチメディアブロードキャスト／マルチキャストサービス(ＭＢＭＳ）によるＭＢＭＳデータを提供するソース基地局と、前記ソース基地局から前記ＭＢＭＳデータを受信する移動端末と、前記ソース基地局により提供されるＭＢＭＳサービスを抵抗し、前記ソース基地局からハンドオーバーに適合した少なくとも一つ以上の隣接基地局を含む非同期方式の符号分割多重接続移動通信システムで、前記移動端末が前記ソース基地局からのＭＢＭＳデータと前記隣接基地局からのＭＢＭＳデータをソフトコンバイニングする装置であって、前記隣接基地局からの専用パイロットチャンネル信号の中で、自機に割り当てられた専用パイロットチャンネル信号の受信電力を測定し、前記測定値が予め定められた条件を満たすか否かにより、該当隣接基地局からのＭＢＭＳデータに対するソフトコンバイニングをするかどうかを決定する専用パイロットチャンネル推定器と、前記該当隣接基地局からのＭＢＭＳデータを入力し、前記専用パイロットチャンネル推定器の決定により前記ＭＢＭＳデータを復調する復調部と、前記復調部のうちの少なくとも２つの復調部からＭＢＭＳデータが入力されると、前記ＭＢＭＳデータに対するソフトコンバイニングを遂行するコンバイナとを含むことを特徴とする。
【発明の効果】
【００１２】
本発明は、ＭＢＭＳサービスを支援する非同期方式の符号分割多重接続移動通信システムで、移動端末が複数の基地局からデータ受信が可能な領域に移動するときに、移動端末にソフトハンドオーバーを提供する。したがって、本発明は、ＭＢＭＳ使用者が既存のセルから新たなセルに移動しても安定したＭＢＭＳサービスが提供されることから、ユーザーに便利なものとなる。
【００１３】
また、移動端末がハンドオーバー領域に位置する場合に、複数の基地局から受信されるＭＢＭＳデータを自分でソフトコンバイニング可能にすることによって、基地局の送信電力を低減させ、より効率的な電力使用が可能にする。
【００１４】
このようなソフトハンドオーバーを提供することにおいて、専用パイロットチャンネルの信号測定値を用いて、実際にＭＢＭＳサービスが遂行されるか否かを判定することで、頻繁なシグナリングを減少させる効果を有する。例えば、隣接基地局のＭＢＭＳ放送チャンネル情報を周期的に知らせる場合に、シグナリング周期を長くしてシグナリングの負担は低減しつつ、ＵＥが更新されていない隣接基地局の情報によって望ましくないコンバイニングを遂行する問題点を解決することができる。
【００１５】
隣接基地局のＭＢＭＳ放送チャンネル情報をリアルタイムで知らせる場合に、隣接基地局の数が多く、ＭＢＭＳサービスを受信しようとするＵＥの生成と消滅、或いはハンドオフが頻繁な場合においては、シグナリングの量が相当に多くなる。このとき、本発明を適用すると、ＭＢＭＳチャンネルの消滅時に隣接ＭＢＭＳチャンネルの情報を更新するためのシグナリングは、ＭＢＭＳチャンネルとして用いられたチャンネルが他の用途で使用されるときに限って、シグナリングが必要となるため、シグナリングの量が相当に減少する効果がある。
【発明を実施するための最良の形態】
【００１６】
以下、本発明の望ましい実施形態を添付の図面を参照して詳細に説明する。
下記の説明において、同一の構成要素に対しては、できるだけ同一の参照符号及び参照番号を付して説明する。本発明に関連した公知の構成或いは機能に関する説明が本発明の要旨を不明にすると判断された場合に、その詳細な説明を省略する。
【００１７】
通常に、ソフトハンドオーバー領域に位置するＵＥに安定的にデータを伝送させるためには、ソフトコンバイニング(ｓｏｆｔ  ｃｏｍｂｉｎｉｎｇ)が基本的に提供されるべきである。これは、ＭＢＭＳサービスに対しても同一に適用される。したがって、本発明では、効率的なＭＢＭＳサービスのためにＵＥが必要に応じて自分でソフトコンバイニングを遂行可能にする方案を提案する。
【００１８】
しかしながら、ＵＥが相互に異なる基地局の各々から共通チャンネルを通じて提供されるＭＢＭＳデータをソフトコンバイニングすることは容易でない。その理由は、ＭＢＭＳサービスを支援する非同期方式の移動通信システムでは、基地局間の時間同期を基本的に支援しないためである。したがって、ＭＢＭＳデータをソフトコンバイニングするためには、ＭＢＭＳデータ間の伝送時間差が最小に維持されるべきである。ＭＢＭＳデータ間の伝送時間差を最小に維持させるための方案については、既に多様に提案されている。本発明の実施形態では、ＭＢＭＳデータ間の伝送時間差が最小に維持されることを前提とする。
【００１９】
後述する本発明では、ＵＥがソフトコンバイニングを遂行するために、必要な情報について定義し、これら情報をＵＥに提供するためのシグナリング手順について説明する。そして、ソフトコンバイニングを遂行するためのＵＥの構造と、このＵＥによって遂行されるソフトコンバイニングについて具体的に説明する。
【００２０】
［Ａ．隣接セルに関する情報］
以下、本発明の実施形態のために必要な隣接セルに関する情報を定義すると、次のようである。
本発明の実施形態により、ＵＥがＭＢＭＳデータに対するソフトコンバイニングを自身で遂行するために、ＵＥは、現在位置したセルからソフトハンドオーバーするのに適合した一つ以上の隣接セルに関する情報を知っているべきである。このために、ＵＥは、一つ以上の隣接セルに関する情報を現在位置したセルを通じてＲＮＣ(Ｒａｄｉｏ  Ｎｅｔｗｏｒｋ  Ｃｏｎｔｒｏｌｌｅｒ)から受信する。このとき、現在のセルと一つ以上の隣接セルは、ＲＮＣによって管理されると仮定する。
【００２１】
下の表１では、一つ以上の隣接セルに関する情報を定義している。
【表１】
2006528455.tif 000003
【００２２】
上掲の表１で、‘情報１'は、ＵＥが現在位置するセルからのソフトハンドオーバーに適合した一つ以上の隣接セルを区分するための識別情報である。ＵＥは、情報１によりソフトハンドオーバーが可能な隣接セルを認識する。
‘情報２’は、隣接セルの各々でＭＢＭＳサービスのために用いるコード情報である。コード情報は、スクランブルコード(ｓｃｒａｍｂｌｉｎｇ  ｃｏｄｅ)とチャンネル化コード(ｃｈａｎｎｅｌｉｚａｔｉｏｎ  ｃｏｄｅ)とを含む。ＵＥは、コード情報を用いて隣接セルから提供されているＭＢＭＳデータを受信する。
【００２３】
‘情報３'は、隣接セルの各々から提供されるＭＢＭＳサービスのタイプに関する情報である。ＭＢＭＳサービスのタイプに関する情報は、ＭＢＭＳサービスを区別するためのＭＢＭＳ  ＩＤである。このＵＥは、情報３に基づいて隣接セルの中で希望するＭＢＭＳサービスを提供する隣接セルを確認することができる。
‘情報４’は、隣接セルのそれぞれに関するタイムオフセット情報である。タイムオフセット情報は、隣接セルの各々でＭＢＭＳデータの伝送フレーム開始点とＣＰＩＣＨのフレーム開始点との間の時間差を示す情報を含む。ＵＥは、情報４に基づいて隣接セルの各々から相互に異なる時点で受信されるＭＢＭＳデータに対するソフトコンバイニングを遂行する。
【００２４】
上述したような隣接セルに関する情報を受信したＵＥは、移動しようとするターゲットセルが決定されると、隣接セルに関する情報を構成する‘情報３’を参照して、ターゲットセルで、自機が希望するＭＢＭＳサービスが提供されているか否かを判定する。ターゲットセルで、希望するＭＢＭＳサービスが提供されていると、ＵＥは、隣接セルに関する情報を構成する‘情報２’に基づいてターゲットセルからのＭＢＭＳデータを受信することができる。ＵＥは、隣接セルに関するタイムオフセット情報を構成する‘情報４’に基づいて、現在のセルからのＭＢＭＳデータとターゲットセルからのＭＢＭＳデータをソフトコンバイニングすることが可能である。
【００２５】
しかしながら、ターゲットセルが希望するＭＢＭＳサービスを提供していないと、ＵＥは、ソフトコンバイニングを遂行しなく、或いは、ターゲットセルに希望するＭＢＭＳサービスを要求するようになる。そして、特定の隣接セルが以前にはＭＢＭＳサービスを提供したが、現在は提供していないことを知らせる場合に、特定の隣接セルは、ＭＢＭＳサービス隣接セルリスト(ＭＢＭＳ Ｓｅｒｖｉｃｅ  Ｎｅｉｇｈｂｏｒ  ｃｅｌｌ  ｌｉｓｔ)から除外させる。
【００２６】
［Ｂ．シグナリング手順］
以下、本発明の実施形態のために、隣接セルに関する情報をＵＥに伝達するためのシグナリング手順を、添付の図面を参照して具体的に説明する。
通常に、ＭＢＭＳサービスを支援する非同期方式の移動通信システムで遂行される代表的なシグナリング手順は、下記の３つに定義される。
【００２７】
第１のシグナリング手順は、ＭＢＭＳサービスを受信していないＵＥが、ＭＢＭＳサービスの提供を受けるために遂行する無線ベアラー設定(Ｒａｄｉｏ  Ｂｅａｒｅｒ  Ｓｅｔｕｐ)過程である。
第２のシグナリング手順は、無線ベアラー再設定(Ｒａｄｉｏ  Ｂｅａｒｅｒ  Ｒｅｃｏｎｆｉｇｕｒａｔｉｏｎ)過程である。これは、ＵＥの移動は発生しなかったが、ＵＥの周辺環境が変化したときに遂行されるシグナリング手順を示す。すなわち、現在のセルを含む、ＭＢＭＳサービスを提供する隣接セルに関する情報が変わって、新たな無線ベアラーを設定すべき場合を示す。
【００２８】
第３のシグナリング手順は、セル更新(Ｕｐｄａｔｅ)過程である。これは、ＵＥが新たなセルに移動して変化する周辺環境によって遂行されるシグナリング手順を示す。すなわち、このシグナリング手順は、ＵＥの移動によって隣接セルに関する情報が変化してセル更新を遂行すべき場合を示す。
したがって、本発明では、隣接セルに関する情報を上記した３つのシグナリング手順を通じてＵＥに伝送することを提案する。
【００２９】
［Ｂ．１  無線ベアラー設定によるシグナリング手順］
図１は、無線ベアラー設定のためのシグナリング処理手順を示す図である。無線ベアラー設定は、ＭＢＭＳサービスのための初期過程に該当する。
図１を参照すると、ＲＮＣ３０は、ステップ１０１で、無線ベアラー設定メッセージをＵＥ１０に伝送する。無線ベアラー設定メッセージの伝送は、無線ベアラーの設定を要求することを意味する。無線ベアラー設定メッセージは、現在ＭＢＭＳサービスを提供しているセルのＭＢＭＳコード情報、サービス情報、及びＭＢＭＳタイムオフセット(ｔｉｍｅ  ｏｆｆｓｅｔ)情報などを含む。ＭＢＭＳコード情報は、ＭＢＭＳデータを伝送するために用いられるコード情報として、スクランブルコード情報とチャンネル化コード情報を含む。ＵＥ１０は、ＭＢＭＳコード情報を用いて現在のセルからのＭＢＭＳデータを逆拡散(ｄｅｓｐｒｅａｄｉｎｇ)することができる。サービス情報は、現在のセルから提供されるＭＢＭＳサービスに関する情報であって、サービスＩＤ形式で提供可能である。ＵＥ１０は、サービスＩＤを用いてＭＢＭＳサービスが区分できる。ＭＢＭＳタイムオフセット情報は、ＭＢＭＳデータを伝送するチャンネルの時間情報として、ＭＢＭＳデータを伝送するフレームの開始点とＣＰＩＣＨフレームの開始点との間の差を示す情報である。ＭＢＭＳタイムオフセット情報は、ＭＢＭＳサービスに対するＵＥでのソフトコンバイニングを支援するために用いられる。
【００３０】
ＲＮＣ３０は、無線ベアラー設定ＲＲＣ(Ｒａｄｉｏ  Ｒｅｓｏｕｒｃｅ  Ｃｏｎｔｒｏｌ)メッセージを通じて隣接セルに関する情報をＵＥ１０に伝送する。隣接セルに関する情報に対しては、表１で既に定義した。その結果、ＵＥ１０は、自分でＭＢＭＳサービスに対するソフトハンドオーバーを遂行することができる。ソフトハンドオーバーが遂行できるということは、ソフトハンドオーバーを遂行する複数のターゲットセルからのＭＢＭＳデータに対するソフトコンバイニングが可能であることを意味する。
【００３１】
ＵＥ１０は、ＲＮＣ３０から提供される情報に基づいて無線ベアラーを設定する。その後、ＵＥ１０は、ステップ１０２で、 無線ベアラー設定完了(Ｒａｄｉｏ  Ｂｅａｒｅｒ  Ｓｅｔｕｐ  Ｃｏｍｐｌｅｔｅ)メッセージをＲＮＣ３０に伝送することによって、無線ベアラー設定過程を完了する。無線ベアラー設定メッセージと無線ベアラー設定完了メッセージは、ＲＮＣ３０のＲＲＣ階層とＵＥ１０のＲＲＣ階層との間のＲＲＣメッセージタイプである。
【００３２】
無線ベアラーの設定が完了すると、ＵＥ１０は、基地局２０から希望するＭＢＭＳデータを受信することができる。ＵＥ１０は、ハンドオーバー領域に移動すると、現在のセルと隣接セルからのＭＢＭＳデータに対するソフトコンバイニングを遂行する。これは、隣接セルに関する情報を用いることで可能である。
【００３３】
［Ｂ．２  無線ベアラー再設定によるシグナリング手順］
図２は、無線ベアラー再設定のためのシグナリング手順を示す図である。無線ベアラー再設定のためのＵＥとＲＮＣとの間のシグナリング手順は、前述した無線ベアラー設定のためのシグナリング手順と類似する。しかしながら、無線ベアラー設定は、初期のＭＢＭＳデータの受信のためのシグナリング手順で、これに対して、無線ベアラー再設定は、既にＭＢＭＳデータを受信している状態でのシグナリング手順である。すなわち、無線ベアラー再設定過程は、ＵＥの周辺環境が変わって既に設定された無線ベアラーの変更が必要である場合に遂行される。この無線ベアラー再設定手順では、既に設定しておいた情報を変更したり、アクティブセット(ａｃｔｉｖｅ  ｓｅｔ)に新たなセルを追加したり、このアクティブセットから既存セルを削除する更新(ｕｐｄａｔｅ）過程が遂行される。
【００３４】
無線ベアラー再設定手順は、ＵＥが移動しない状態で現在のセル又は隣接セルの情報が変更されるときに遂行される。現在のセルでの情報変更は、現在のセルでのＭＢＭＳコード情報、サービス情報、及びＭＢＭＳタイムオフセット情報などが変更される場合に該当する。隣接セルでの情報変更は、隣接セルが追加されたり、既存の隣接セルに関する情報が変更される場合に該当する。隣接セルの追加は、同一のＭＢＭＳサービスを提供する隣接セルが追加される場合であって、該当セルのセルＩＤ情報が提供されうる。特に、既にＭＢＭＳサービスを提供するチャンネルが特定の理由で伝送を中断しても、再設定過程は必要ではない。一方、既存の隣接セルに関する情報の変更は、現在のセルと同一のＭＢＭＳデータを伝送している隣接セルに関する情報が変わる場合に該当する。すなわち、隣接セルでのＭＢＭＳコード情報、サービス情報、及びＭＢＭＳタイムオフセット情報などが変更されたり、既にＭＢＭＳサービスが提供されていたチャンネルが他の用途で使用される場合が、これに該当する。
【００３５】
従来は、ＭＢＭＳサービスを提供する隣接セルの削除時ごとに、無線ベアラー再設定のための動作を遂行した。したがって、シグナリング手順を頻繁に遂行しなければならないという短所があった。このような短所を解決するために、本発明では、隣接セルの削除時でなく、既存にＭＢＭＳサービスを提供したチャンネルが他のサービスのために割り当てられる場合のみに無線ベアラー再設定過程を遂行する。しかしながら、本発明によるシグナリング過程の変更は、既存のソフトコンバイニング方法を通じて効率的な通信を遂行することができないという他の問題を引き起こす。このような問題を解消するために、本発明では、ＭＢＭＳサービスを提供中であるか、或いはサービスが中断された専用パイロットチャンネルが存在するかどうかによってＭＢＭＳサービスを遂行するかどうかを判定し、ソフトコンバイニングを遂行する。これは、フィンガーにおいて専用パイロットチャンネルの測定値を判断する装置を用いることで可能である。
【００３６】
図２を参照すると、ＲＮＣ３０は、ステップ２０１で、無線ベアラー再設定(Ｒａｄｉｏ  Ｂｅａｒｅｒ  Ｒｅｃｏｎｆｉｇｕｒａｔｉｏｎ)メッセージをＵＥ１０に伝送する。無線ベアラー再設定メッセージは、無線ベアラーの再設定を要求するために伝送する。無線ベアラー再設定メッセージは、現在ＭＢＭＳサービスを提供しているセルでの変更されたＭＢＭＳコード情報、サービス情報、及びＭＢＭＳタイムオフセット情報などを提供する。加えて、無線ベアラー再設定メッセージは、ＵＥ１０が自分でソフトコンバイニングを遂行するように隣接セルに関する情報も提供する。ＵＥ１０は、無線ベアラー再設定メッセージを通じて受信した情報に基づいて無線ベアラー再設定作業を遂行する。その後、ＵＥ１０は、ステップ２０２で、無線ベアラー再設定完了(Ｒａｄｉｏ  Ｂｅａｒｅｒ  Ｒｅｃｏｎｆｉｇｕｒａｔｉｏｎ  Ｃｏｍｐｌｅｔｅ)メッセージをＲＮＣ３０に伝送することによって、無線 ベアラー再設定の手順を完了する。無線ベアラー再設定メッセージと無線ベアラー再設定完了メッセージは、ＲＮＣ３０のＲＲＣ階層とＵＥ１０のＲＲＣ階層との間のＲＲＣメッセージタイプである。
【００３７】
無線ベアラーの再設定が完了すると、ＵＥ１０は、基地局２０から希望するＭＢＭＳデータを受信することができる。ＵＥ１０は、ハンドオーバー領域に移動すると、現在のセルと隣接セルからのＭＢＭＳデータに対するソフトコンバイニングを遂行する。これは、隣接セルに関する情報を用いることで可能である。
【００３８】
［Ｂ．３  セル更新によるシグナリング手順］
図３は、セル更新のためのシグナリング手順を示す図である。セル更新手順は、ＵＥ１０の移動により周辺環境が変化する場合に遂行される、ＲＮＣ３０とＵＥ１０との間のシグナリング過程である。 
【００３９】
図３を参照すると、ＵＥ１０が、既存又は現在のセルから隣接セルに移動してセル更新領域に入ると、ＵＥ１０によりセル更新過程が遂行される。セル更新領域は、ハンドオーバー領域と同様にセル境界附近に存在する。しかしながら、セル更新領域は、ハンドオーバー領域よりは小さい規模でハンドオーバー領域に含まれる関係にある。上記したように、無線ベアラーの設定／再設定過程を通じてＵＥ１０は、ハンドオーバー領域でソフトコンバイニングを遂行することができる。
【００４０】
ＵＥ１０は、セル更新領域に入ると、セル更新を実施する。この場合に、ＵＥ１０は、ステップ３０１で、ＲＮＣ３０にセル更新メッセージを伝送する。セル更新メッセージの伝送は、セル更新手順の開始を意味する。
セル更新の手順で、ターゲット(ｔａｒｇｅｔ)セル、すなわちＵＥ１０がセル更新メッセージを伝送するセルを次の２つの場合に分ける。
【００４１】
第１に、ＵＥ１０がハンドオーバー領域に入ることによって、ターゲットセルから希望するＭＢＭＳデータが受信可能である場合である。すなわち、ターゲットセルは、以前又は現在のセルで受信したＭＢＭＳサービスを提供する場合である。この場合に、ＲＮＣ３０は、セル更新メッセージを受信すると、ターゲットセルを現在ＭＢＭＳサービスを提供するセルとして更新する。そして、ＲＮＣ３０は、既存にＭＢＭＳサービスを提供したセルを隣接セルとして更新する。なお、ＲＮＣ３０は、ターゲットセルの隣接セルの中で、ＭＢＭＳサービスを提供する隣接セルに関する情報を更新する。
【００４２】
その後、ＲＮＣ３０は、ステップ３０２で、セル更新確認(Ｃｅｌｌ  Ｕｐｄａｔｅ  Ｃｏｎｆｉｒｍ)ＲＲＣメッセージをＵＥ１０に伝送する。セル更新確認ＲＲＣメッセージを通じて、現在のセルと隣接セルに関する情報が伝送される。現在のセルと隣接セルに関する情報は、上記で定義したことと同様である。もちろん、セル更新手順を遂行するＵＥ１０は、まだ、ハンドオーバー領域内に位置するため、ソフトコンバイニングを継続して遂行する。
【００４３】
第２に、ＵＥ１０がハンドオーバー領域に入ったが、ターゲットセルから希望するＭＢＭＳデータを受信することができない場合である。すなわち、ターゲットセルは、以前又は現在のセルで提供されたＭＢＭＳサービスを提供しない場合である。この場合に、ＵＥ１０は、ハンドオーバー領域内のセル更新領域に入ると、前述したセル更新手順を遂行するようになる。
【００４４】
ＲＮＣ３０は、ＵＥ１０からセル更新メッセージを受信し、ターゲットセルにＵＥ１０の希望するＭＢＭＳデータを伝送するように許容する。すなわち、ＲＮＣ３０は、ターゲットセルが無線ベアラー設定手順と同一のシグナリング手順を遂行可能にする。その後、ＲＮＣ３０は、既存にＵＥ１０にＭＢＭＳサービスを提供したセルを隣接セルとして更新し、ターゲットセルの隣接セルの中でＭＢＭＳサービスを提供する隣接セルに対する情報を更新する。このセル更新が完了すると、ＲＮＣ３０は、ステップ３０２で、セル更新確認ＲＲＣメッセージをＵＥ１０に伝送する。
【００４５】
もちろん、セル更新手順の途中に、ＵＥ１０は、既存のセルから継続してＭＢＭＳデータを受信する。セルの更新以後、ＵＥ１０は、ターゲットセルからもＭＢＭＳデータを受信してソフトコンバイニングを遂行するようになる。
【００４６】
［Ｃ．ＵＥの構造及び動作］
［Ｃ．１  ＵＥの構造］
以下、本発明の実施形態によるソフトコンバイニングを遂行するためのＵＥの構造について説明する。
【００４７】
図４は、本発明の実施形態によるＵＥの受信器を示すブロック構成図である。図４を参照すると、基地局からの受信信号はアナログ受信器４１０に提供される。アナログ受信器４１０は、受信信号をデジタル信号に変換する。デジタル信号は、サーチャー(ｓｅａｒｃｈｅｒ)４２０と、ｋ個のフィンガー(ｆｉｎｇｅｒ)４４０〜４５０に入力される。
制御部４３０は、ＲＮＣから隣接セルに関する情報を受信して現在ＭＢＭＳサービスが提供されている隣接セルを知っている。したがって、制御部４３０は、ＭＢＭＳデータのソフトコンバイニングのために、これら隣接セルの中で、同一のＭＢＭＳサービスを提供するセルを検索するようにサーチャー４２０を制御する。
【００４８】
サーチャー４２０は、アナログ受信器４１０を通じて受信される多重経路信号それぞれのＣＰＩＣＨ値を測定する。このとき、測定する値はＲＳＣＰ(Ｒｅｃｅｉｖｅｄ  Ｓｉｇｎａｌ  Ｃｏｄｅ  Ｐｏｗｅｒ)又はＥｃ／Ｎｏ値として、該当信号の受信電力をモニタリングする。サーチャー４２０は、測定した値を制御部４３０に伝送する。
【００４９】
制御部４３０は、多重経路信号別に測定された値に基づいてサーチャー４２０が適切なフィンガー割り当てを遂行するように制御する。すなわち、制御部４３０は、各測定値をレベル順に整列し、サーチャー４２０にこの整列された測定値をフィンガーに割り当てるように命令する。
【００５０】
サーチャー４２０は、制御部４３０からフィンガー割当命令を受信する。サーチャー４２０は、フィンガー割当命令に従って、各フィンガーに信号を割り当てる。サーチャー４２０は、信号の割り当てのために、フィンガー４４０〜４５０のデスクランブラ(ｄｅｓｃｒａｍｂｌｅｒ)４４２〜４５２を制御する。このとき、サーチャー４２０は、各フィンガー別にタイミング情報とセル情報(スクランブルコード、チャンネル化コード)を提供する。
【００５１】
例えば、現在特定のＭＢＭＳデータを受信しているＵＥがソフトハンドオーバーが可能な領域に移動する場合が発生するかも知れない。すなわち、ＵＥが特定セルＡから隣接セルＢに移動する場合を仮定する。このとき、セルＢは、特定のＭＢＭＳサービスを提供する基地局である。この場合に、サーチャー４２０の受信する信号は、セルＡの多重経路信号とセルＢの多重経路信号共を含む。したがって、サーチャー４２０は、セルＡとセＢからの多重経路信号に対するＣＰＩＣＨ値を測定して制御部４３０に伝送する。
【００５２】
制御部４３０は、セルＢの多重経路信号に対して測定した値を合算し、セルＡの多重経路信号に対する測定値を合算する。その後、制御部４３０は、これら２つの合算値を比較して、次の２つの条件のうちいずれか一つでも満足するか否かを判断する。まず、第１の条件は、セルＢの多重経路信号に対する測定値の合算値がセルＡの多重経路信号に対する測定値の合算値より、所定の基準値(ｔｈｒｅｓｈｏｌｄ）以上に大きい場合である。第２の条件は、セルＡとセルＢの信号レベル間の差が定められたヒステリシス値以内になる場合である。
【００５３】
制御部４３０は、これら条件のうちのいずれか一つの条件を満足すると、隣接セルに関する情報から、セルＢで希望するＭＢＭＳサービスを提供しているか否かを判定する。ここで、希望するＭＢＭＳサービスは、セルＡからで既に提供されたＭＢＭＳサービスである。
【００５４】
上記の２つの条件以外に、制御部４３０は、セルＢの多重経路信号に対して測定された値の合算値が所定の基準値より大きい場合に、セルＢでセルＡを通じて受信されたＭＢＭＳサービスを提供するか否かを判定する。このとき、所定の基準値は、第１の条件で用いる基準値とは異なる意味を有する。すなわち、第１の条件の基準値は、セルＢに対する測定値とセルＡに対する測定値との誤差値に対応する。しかしながら、追加された例での基準値は、セルＢに対する測定値に対応する。したがって、追加の例での基準値は、第１の条件における基準値より高い値に設定されるべきである。
【００５５】
セルＢがセルＡと同一のＭＢＭＳサービスを提供すると、制御部４３０は、セルＡとセルＢ各々に対するフィンガーを割り当てるようにサーチャー４２０を制御する。これは、ＵＥが、セルＢからのＭＢＭＳデータに対するソフトコンバイニングを遂行するかどうかを決定するためである。一般的に、フィンガーの割り当ては受信信号のレベルが大きい順に遂行される。
【００５６】
サーチャー４２０は、各信号成分をフィンガーに割り当てるときには、最終的にコンバイニングが可能なように、各信号成分間のタイミング情報(すなわち、フレームオフセット)とセル情報(すなわち、スクランブルコード、チャンネル化コード)を提供する。フレームオフセットは、各セルの経路別ＣＰＩＣＨ信号のオフセット値とは異なる。したがって、制御部４３０は、サーチャー４２０のフィンガー割り当ての際に、各ＭＢＭＳ信号のフレームオフセット値を該当フィンガーに知らせる。
【００５７】
一方、セルＢがセルＡと同一のＭＢＭＳサービスを提供していないと、上記の条件を満たしてもソフトコンバイニングは遂行されることができない。このときのフィンガー割り当ては、セルＡの多重経路信号のみに対してなされる。しかしながら、セルＢがセルＡとは異なるＭＢＭＳデータを伝送していると、ＵＥは、ＲＮＣにセルＡと同一のＭＢＭＳデータの伝送を要求する。その結果、希望するＭＢＭＳデータのソフトコンバイニングの遂行が可能になる。
現在、ＵＥがセルＡの領域のみに位置したり、ソフトコンバイニング条件を満足しなくてソフトコンバイニングが遂行されない場合には、各フィンガーにはセルＡの多重経路信号のみが割り当てられる。
【００５８】
上述した２つの条件では、受信ＣＰＩＣＨ信号のＲＳＣＰ又はＥｃ／Ｎｏが良好である場合のみを仮定する。しかしながら、受信ＣＰＩＣＨ信号のＲＳＣＰ又はＥｃ／Ｎｏが良好でなくても、実際のＭＢＭＳデータ信号は良好な場合が時々ある。この場合に、ＣＰＩＣＨ信号だけでソフトコンバイニングを判定すると、ソフトハンドオーバーの機会を失うことになる。したがって、このような状況を防ぐために、制御部４３０は、ＣＰＩＣＨ信号だけでなくＭＢＭＳデータ信号もソフトコンバイニングの基準として使用可能である。その一例として、共通パイロットチャンネルを用いる方法がある。セルＢがＭＢＭＳサービスを提供する隣接セルリストにあっても、専用パイロットチャンネル測定器４４７，４５７が提供する値が、絶対的に定められた値、或いは、既にコンバイニング中であるセルの測定値と、相対的に定められたヒステリシス値又は絶対値以内になるか否かを判断する。その判断結果によってコンバイニングを遂行するかどうかは、各フィンガー４４０，４５０によって決定される方法と、コンバイナ４６０によって決定される方法に区分される。すなわち、実際にＭＢＭＳチャンネルであると判断されるチャンネルにＭＢＭＳサービスが遂行されるかを判定し、各フィンガー４４０，４５０は、コンバイナ４６０にコンバイニングを遂行するかどうかを知らせる。又は、その測定値と制御部４３０からの判断基準値を通じて、コンバイナ４６０はコンバイニングを遂行するかどうかを判定する。後述する本発明では、各フィンガー４４０，４５０によりコンバイニングを遂行するかどうかが決定される例を中心として説明する。しかしながら、コンバイナ４６０が、各フィンガー４４０，４５０から提供されるＭＢＭＳデータをコンバイニングするかどうかを決定して、コンバイニングするように実現できることは自明なことである。
【００５９】
前述した手順によりＭＢＭＳデータをフィンガーに割り当てるとが決定されると、制御部４３０は、ＲＮＣから受信されたＭＢＭＳオフセット値を該当フィンガーに知らせることによって、コンバイナ４６０が各信号成分をコンバイニング可能にする。
ここで、ＭＢＭＳデータ信号の任意の多重経路成分を復調するブロックは、“フィンガー”と呼ばれ、このフィンガーは、デスクランブラ、逆拡散器、ＭＢＭＳデータ復調部、専用パイロットチャンネル推定器、及びチャンネル推定器で構成される。図４に、ｋ個のフィンガー４４０，４５０を示す。後述する説明では、ｋ個のすべてのフィンガーが割り当てられると仮定して説明する。
【００６０】
アナログ受信器４１０からのデジタル信号は、ｋ個のフィンガー４４０，４５０それぞれのデスクランブラ４４２，４５２に提供される。ｋ個のデスクランブラ４４２，４５２の各々は、変換されたデジタル信号と基地局を区分するためのスクランブルコードを乗算してディスクランブルされた信号を出力する。スクランブルコードは、制御部４３０の命令によりサーチャー４２０からセルに関する情報として提供される。制御部４３０は、スクランブルコードを前述した無線ベアラー設定過程又は無線ベアラー再設定過程を通じて既に知っている。
【００６１】
ｋ個のデスクランブラ４４２，４５２の各々から出力されるＭＢＭＳデータは、対応するｋ個の逆拡散器４４６，４５６とｋ個のチャンネル推定器４４４，４５４に提供される。ｋ個のチャンネル推定器４４４，４５４は、ｋ個のデスクランブラ４４２，４５２からの出力を受信してそれぞれのチャンネル推定値を出力する。上記したサーチャー４２０がＣＰＩＣＨ値を測定し、フィンガーに該当経路を割り当てる過程は、一般的にフィンガーに該当経路を初めて割り当てる場合を説明する。まず、該当経路がフィンガーに割り当てられた以後のＣＰＩＣＨ値を測定することは、各フィンガー内に存在するチャンネル推定器４４４，４４５がその役割を果たす。各チャンネル推定値は、対応するｋ個のＭＢＭＳデータ復調部４４８，４５８に入力される。ｋ個の逆拡散器４４６，４５６は、ＭＢＭＳデータをサーチャー４２０から提供されるチャンネル化コードによって逆拡散して出力する。ｋ個の逆拡散器４４６，４５６の各々から逆拡散されて出力されるＭＢＭＳデータは、対応するｋ個のＭＢＭＳデータ復調部４４８，４５８とｋ個の専用パイロットチャンネル推定器４４７，４５７に入力される。
【００６２】
ｋ個の専用パイロットチャンネル推定器４４７、４５７の各々は、ＭＢＭＳチャンネル或いは他のチャンネルに存在しうる専用パイロットチャンネルに対応したチャンネル推定値(以下、“専用パイロットチャンネル推定値”と称する)を出力する。例えば、各フィンガー４４０，４５０に割り当てられたＭＢＭＳデータ信号は、上記のデスクランブル過程と逆拡散過程を経ることによって、チャンネルデータに復調される。このとき、復調された信号は、専用パイロットチャンネル信号と実際のデータ部分で構成される。しかしながら、場合によっては、復調された信号には専用パイロットチャンネルが存在しないこともある。専用パイロットチャンネル推定器４４７，４５７は、復調された信号が専用パイロットチャンネルを含んでいるときに、専用パイロットチャンネルによる専用パイロットチャンネル推定値を推定する。専用パイロットチャンネル推定値としては、専用パイロットチャンネルのＲＳＣＰ(Ｒｅｃｅｉｖｅｄ  Ｓｉｇｎａｌ  Ｃｏｄｅ  Ｐｏｗｅｒ)又はＥｃ／Ｎｏ値が用いられる。専用パイロットチャンネル推定器４４７，４５７は、専用パイロットチャンネル推定値により該当ＭＢＭＳデータ信号の受信電力をモニタリングする。専用パイロットチャンネル推定器４４７，４５７からの専用パイロットチャンネル推定値は、各々ｋ個のＭＢＭＳデータ復調部４４８，４５８の中に対応するＭＢＭＳデータ復調部に伝送される。ここで、各経路別に入ってくるＭＢＭＳデータ信号は、ソフトハンドオーバー状況では数個のセルから伝送されたＭＢＭＳ多重経路信号となる。そうでない場合に、ＭＢＭＳデータ信号は、現在のセルによって伝送されるＭＢＭＳ多重経路成分の信号となる。
【００６３】
したがって、ｋ個のＭＢＭＳデータ復調部４４８，４５８の各々は、対応するチャンネル推定器４４４，４５４からのチャンネル推定値を用いて逆拡散器４４６，４５６からの入力に対するチャンネル補償を遂行することによって、各経路別に受信されるＭＢＭＳデータ信号が抽出される。一方、ｋ個のＭＢＭＳデータ復調部４４８，４５８は、各々対応する専用パイロットチャンネル推定器４４７，４５７からの専用パイロットチャンネル推定値により該当ＭＢＭＳデータ信号を抽出するか否かを判定する。これは、該当専用パイロットチャンネルの受信電力を通じて、該当チャンネルのコンバイニングを遂行するかどうかを決定する動作に該当する。ＭＢＭＳデータ復調部４４８，４５８は、決定したコンバイニングを遂行するかどうかによって割り当てられたＭＢＭＳデータ信号を復調して出力する。すなわち、ソフトコンバイニングを遂行すると決定されると、ＭＢＭＳデータ復調部４４８，４５８は、入力されるＭＢＭＳデータ信号を復調し、この復調されたＭＢＭＳデータ信号をコンバイナ４６０に伝送する。しかしながら、ソフトコンバイニングを遂行しないと決定されると、ＭＢＭＳデータ復調部４４８，４５８は、入力されるＭＢＭＳデータ信号に対する復調を遂行せず、たとえ復調を遂行しても、復調されたＭＢＭＳデータ信号をコンバイナ４６０に出力しない。このソフトコンバイニングの遂行に対して判定する具体的な動作について、図６を参照して後述する。
【００６４】
ｋ個のＭＢＭＳデータ復調部４４８，４５８から出力されるＭＢＭＳ多重経路成分の信号は、コンバイナ４６０に提供される。コンバイナ４６０は、ＭＢＭＳデータ復調部４４８，４５８、すなわち、各フィンガー４４０，４５０から提供されるＭＢＭＳ多重経路成分の信号を結合して一つの信号としてチャンネルデコーダ４１３に提供する。
【００６５】
上記した本発明からわかるように、コンバイナ４６０によってコンバイニングを遂行する対象となるＭＢＭＳデータ信号が、専用パイロットチャンネル推定値ににより選別されるように実現した。すなわち、各フィンガー４４０，４５０に入力されるＭＢＭＳデータ信号別に専用パイロットチャンネル推定値を求め、専用パイロットチャンネル推定値によって、対応するＭＢＭＳデータ信号を復調するかどうかを決定することを提案する。もし、専用パイロットチャンネル推定値によって該当ＭＢＭＳデータ信号の復調が制限されたと仮定すると、該当ＭＢＭＳデータ信号からのＭＢＭＳ多重経路成分の信号は、コンバイナ４６０に提供されないことだろう。これは、該当ＭＢＭＳデータ信号に対してはコンバイニングが遂行されないことを意味する。
【００６６】
各フィンガーに割り当てられたＭＢＭＳデータ信号は、バッファに貯蔵されてコンバイナ４６０でコンバイニングされる。このとき、前述したように、各セル間に同一のＭＢＭＳデータを伝送する時点を同期化し、その時間差を数百チップ以内に制限することによって、コンバイナ４６０は各信号成分のコンバイニングを可能にする。 
【００６７】
コンバイナ４６０は、制御部４３０によりすべてのフィンガーに割り当てられたＭＢＭＳ信号のフレームオフセット値を知っているため、各信号間のフレームオフセット値を考慮してコンバイニングを遂行する。すなわち、受信タイミングが最も早いＭＢＭＳデータ信号が割り当てられたフィンガーを基準として、各フィンガー別に割り当てられた該当セルの相対的なフレームオフセット値を適用して基準フィンガーのタイミングと一致させることによって、相互に異なるフィンガーから同一のシンボル間のコンバイニングを遂行可能にする。これは、既にコンバイナ４６０が、ＲＮＣとＵＥとの間にＭＢＭＳオフセット情報を無線ベアラー設定／再設定過程を通じて知っているので可能となる。このようにコンバイニングされたＭＢＭＳ多重経路信号は、チャンネルデコーダ４７０を経て最終的なＭＢＭＳ信号に復元される。
【００６８】
［専用パイロットチャンネル推定器］
図５は、図４における専用パイロットチャンネル推定器に対する詳細構造を示すブロック構成図を示す。図５を参照すると、専用パイロットチャンネル推定器５０２は、図４の逆拡散器４４６，４５６からの逆拡散シーケンスと専用パイロットシーケンス生成器５０１からの専用パイロットシーケンスを受信する。専用パイロットシーケンスは、チャンネル情報による専用パイロットシーケンスである。この逆拡散シーケンスと専用パイロットシーケンスは、専用パイロットチャンネル推定器５０２の内部の乗算器によって乗算される。この乗算による出力値は、アキュムレータ(ａｃｃｕｍｕｌａｔｏｒ)５０４によって専用パイロットシーケンスの周期で累積されて出力される。この累積値は、ＲＳＣＰ値として用いられ、以後にソフトコンバイニングを遂行するかどうかを判定するのに用いることができる。累積時に累積区間は、全体入力シーケンス区間の中に実際に専用パイロットチャンネルが存在すると予想される区間となるはずである。
【００６９】
［Ｃ．２  ＵＥの動作］
以下、本発明の実施形態によるＭＢＭＳソフトハンドオーバー手順を図６を参照して、各過程別に具体的な実施形態と図面を用いて詳細に説明する。後述する詳細な説明で、ＵＥが２つ以上のセルから同時にＭＢＭＳデータを受信することができるハンドオーバー領域に位置する場合を仮定する。
【００７０】
図６は、本発明の実施形態によるソフトコンバイニングの実施形態を示す図である。図６を参照すると、ＵＥは、時間軸６０１で時点Ｔ１以前までＣＰＩＣＨ１  ６０３を伝送するセル１のみからＭＢＭＳデータを受信する。時点Ｔ１で、ＵＥは、セル２からのＣＰＩＣＨ２  ６０４による測定値をＣＰＩＣＨ１  ６０３による測定値と比較し、その差はヒステリシス値６０６以内に含まれ始める。したがって、ＵＥは、時点Ｔ１で、ソフトコンバイニングを準備しつつ、タイマーを時間Ｔに設定する。タイマーが終了する時点Ｔ２で、ＣＰＩＣＨ１  ６０３とＣＰＩＣＨ２  ６０４による測定値間の差が、ヒステリシス値６０６を超えないため、ＵＥは、セル１とセル２から受信するＭＢＭＳデータの専用パイロットチャンネルの測定値が十分に大きい場合に、ソフトコンバイニングを遂行する。
【００７１】
その後、時点Ｔ３で、ＣＰＩＣＨ１  ６０３とＣＰＩＣＨ３  ６０５による測定値の差がヒステリシス値６０７を満足するため、ＵＥはタイマーを時間Ｔに設定する。タイマーが終了する時点Ｔ４で、ＵＥは、ＣＰＩＣＨ１  ６０３とＣＰＩＣＨ３  ６０５による測定値の差を確認する。その差の値がヒステリシス値６０７を続けて満足すると、ＵＥは、専用パイロットチャンネルの測定値が十分に大きい場合にセル３から受信するＭＢＭＳデータに対するソフトコンバイニングを遂行する。
したがって、時点Ｔ４以後に、ＵＥは、セル１、セル２、及びセル３からのＭＢＭＳデータをすべてソフトコンバイニングできる基本条件を満足する状態となる。
【００７２】
その後、時点Ｔ５で、ＣＰＩＣＨ１  ６０３とＣＰＩＣＨ２  ６０４による測定値の差がヒステリシス値６０８を満足すると、ＵＥは、ソフトコンバイニングを遂行するかどうかを更に検討するためにタイマーを設定する。このとき、タイマーは時間Ｔに設定される。タイマーが終了する時点Ｔ６で、ＣＰＩＣＨ１  ６０３とＣＰＩＣＨ２  ６０４による測定値の差がヒステリシス値６０８を超えるため、ＵＥは、セル１からのＭＢＭＳデータをソフトコンバイニングから除外させる。したがって、時点Ｔ６以後からＵＥは、セル２とセル３からのＭＢＭＳデータをソフトコンバイニングする。
【００７３】
最後に、時点Ｔ７で、ＣＰＩＣＨ２  ６０４とＣＰＩＣＨ３  ６０５による測定値の差がヒステリシス値６０９を満足するため、ＵＥは、ソフトコンバイニングを遂行するか否かを再び検討するためにタイマーを設定する。このとき、タイマーは時間Ｔに設定される。タイマーが終了する時点Ｔ８で、ＣＰＩＣＨ２  ６０４とＣＰＩＣＨ３  ６０５による測定値の差がヒステリシス値６０９を超えるため、ＵＥは、セル３からのＭＢＭＳデータをソフトコンバイニングから除外する。その結果、ＵＥは、時点Ｔ７以後からセル２からのＭＢＭＳデータのみを受信する。
【００７４】
一方、図６において、各ヒステリシス値６０６，６０７，６０８，６０９は、同一の値を使用したり、相互に異なる値を使用することができる。例えば、対応するＭＢＭＳデータのソフトコンバイニングへの追加を判断する基準となる同一の値のヒステリシス値６０６，６０７と、ソフトコンバイニングからの除外を判断する基準となる同一の値のヒステリシス値６０８，６０９は、相互に異なる値を有する。
【００７５】
図７は、本発明の実施形態によるソフトコンバイニングのための移動端末の制御動作を示すフローチャートである。図７を参照すると、サーチャー４２０は、制御部４３０からの制御により、隣接セルの中で同一のＭＢＭＳサービスを提供する隣接 セルの検索を遂行する。すなわち、サーチャー４２０は、ステップＳ７０１で、アナログ受信器４１０からの多重経路信号それぞれのＣＰＩＣＨ値を受信し、この受信されたＣＰＩＣＨ値の各々に対するＲＳＣＰ又はＥｃ／Ｎｏ値を測定する。制御部４３０は、サーチャー４２０からＣＰＩＣＨ値に対する測定値を受信する。この測定値は、ソース基地局からのＣＰＩＣＨ値に対応する第１の測定値と、少なくとも一つの隣接基地局からのＣＰＩＣＨ値に対する第２の測定値とを含む。制御部４３０は、ステップＳ７０２で、第１の測定値と第２の測定値の相対的な差値を予め定められたヒステリシス値と比較する。この差の値がヒステリシス値の範囲内にあると、制御部４３０はステップＳ７０３に進行する。しかしながら、この差の値が、ヒステリシス値の範囲内にないと、制御部４３０は、ソフトコンバイニングを遂行するか否かを判定する手順を終了する。
【００７６】
ステップＳ７０３で、差値がヒステリシス値の範囲内に含まれる状況が予め定められた一定時間の間に維持されるか否かを判定する。これは、上記の差の値がヒステリシス値の範囲内に含まれた時点で予め定められた一定時間をモニタリングするタイマーを設定し、この設定されたタイマーが終了される時点まで前述した状態が維持されるか否かを確認することによって判定可能である。このために、サーチャー４２０は、周期的に該当経路のＣＰＩＣＨ値を測定して制御部４３０に報告する。
【００７７】
ステップＳ７０３で、この差の値がヒステリシス値の範囲内に含まれる状態が一定時間維持されると、制御部４３０は、差値が得られたＣＰＩＣＨに対応するＭＢＭＳデータを受信するフィンガーの割り当てをサーチャー４２０に命令する。この命令が伝達されると、該当セルがチャンネル設定或いは再設定過程を通じてＭＢＭＳサービスを提供するセルであると判断されると、基本的にＭＢＭＳデータがソフトコンバイニングを遂行できる条件を満足すると考えられる。したがって、サーチャー４２０は、上記の命令に従って、該当経路に対応してフィンガーを割り当てた後に、その経路を通じて受信されたＭＢＭＳデータ信号の復調を遂行する。この復調手順は、ステップＳ７０４とステップＳ７０５を含む。
【００７８】
フィンガー内の専用パイロットチャンネル推定器４４７，４５７は、ステップＳ７０４で逆拡散された専用パイロットチャンネル信号を受信し、専用パイロットチャンネル信号に対するＲＳＣＰ又はＥｃ／Ｎｏ値を測定する。そして、ステップＳ７０５で、パイロットチャンネル推定器４４７，４５７は、測定値のレベルが予め定められたヒステリシス値の範囲内に含まれるか否かを判定し、或いは、測定値のレベルが通常の基準値を超えるか否かを判断する。ステップＳ７０５の条件を満足すると、フィンガー内のＭＢＭＳデータ復調部４４８，４５８は、割り当てられた経路を通じて受信したＭＢＭＳデータ信号を復調する。この復調されたＭＢＭＳデータ信号は、他の経路を通じて受信されたＭＢＭＳデータ信号とのコンバイニングが遂行されるようにコンバイナ４６０に出力される。コンバイナ４６０は、ステップＳ７０６で、所定の経路が割り当てられたフィンガーから提供されるＭＢＭＳデータ信号に対して実際にソフトコンバイニングを遂行する。
【図面の簡単な説明】
【００７９】
【図１】本発明の実施形態による非同期方式のＣＤＭＡ移動通信システムの無線ベアラ設定過程を示す図である。
【図２】本発明の実施形態による非同期方式のＣＤＭＡ移動通信システムの無線ベアラの再設定過程を示す図である。
【図３】本発明の実施形態による非同期方式のＣＤＭＡ移動通信システムのセル更新過程を示す図である。
【図４】本発明の実施形態による非同期方式のＣＤＭＡ移動通信システムの端末機の受信器を示すブロック構成図である。
【図５】本発明の実施形態による専用パイロットチャンネル推定器の詳細構成を示すブロック構成図である。
【図６】本発明の実施形態による共通パイロットチャンネルの測定値によるソフトコンバイニング過程を説明するための図である。
【図７】本発明の実施形態によるソフトコンバイニングのためのＵＥの制御動作を示すフローチャートである。
【符号の説明】
【００８０】
１０…ＵＥ
２０…基地局
３０…ＲＮＣ
４１０…アナログ受信器
４２０…サーチャー
４３０…制御部
４４０〜４５０…フィンガー
４４２〜４５２…デススクリーンランブラ
４４４〜４５４…チャンネル推定器
４４６〜４５６…逆拡散器
４４７〜４５７…専用パイロットチャンネル測定器
４４８〜４５８…ＭＢＭＳデータ復調部
４６０…コンバイナ
４７０…チャネルデコーダ
５０１…専用パイロットシーケンス生成器
５０２…専用パイロットチャンネル推定器
５０４…アキュムレータ
【図１】
2006528455.tif 000004
【図２】
2006528455.tif 000005
【図３】
2006528455.tif 000006
【図４】
2006528455.tif 000007
【図５】
2006528455.tif 000008
【図６】
2006528455.tif 000009
【図７】
2006528455.tif 000010
【国際調査報告】
2006528455.tif 000011
2006528455.tif 000012